(57)【要約】【課題】  商品陳列棚の前縁部分との着脱を容易に行なうことができ、また、カードホルダーのプレート体内に保持したカードに記載の商品情報を入手し易いように、カードホルダーを取り付ける棚の高さに応じて、前記プレート体を所望の角度位置に設定することができるカードホルダーを提供する。【解決手段】  カード１７を保持するプレート体２と、棚１３に係着するための支持体５と、プレート体の上部と前記支持体の上部をヒンジ結合する連結体４を備え、また、前記プレート体の背面と同プレート体の背面に相対する支持体の前面のそれぞれに、互いに係脱可能に嵌合する嵌合体１０、１１を形成し、前記プレート体が前記連結体を支点としてフラップ状に開閉できて、前記嵌合体どうしの嵌合が開閉方向における所望の角度位置で行うことができるよう構成した。【選択図】図１
2011125434.tif 000002
【特許請求の範囲】
【請求項１】
商品陳列棚の前縁部分に係着して、商品情報を表示するカードを棚の前方に向けて収容するカードホルダーであって、前記カードを保持するプレート体と、前記棚に係着するための支持体と、前記プレート体の上部と前記支持体の上部をヒンジ結合する連結体を備え、また、前記プレート体の背面と同プレート体の背面に相対する支持体の前面のそれぞれに、互いに係脱可能に嵌合する嵌合体を形成し、前記プレート体が前記連結体を支点としてフラップ状に開閉できて、前記嵌合体どうしの嵌合が開閉方向における所望の角度位置で行うことができるよう構成してなるカードホルダー。
【請求項２】
前記カードホルダーを側面から見た形状において、前記嵌合体のうち少なくとも一方を、前記プレート体が前記連結体を支点として開閉するときに描く軌道に沿うように形成してなる請求項１に記載のカードホルダー。
【請求項３】
前記カードホルダーを側面から見た形状において、前記嵌合体の一方に首部とその首部の先端に頭部を形成し、前記嵌合体と互いに嵌合するもう一方の嵌合体を前記嵌合体頭部の外周面形に倣うよう形成して、前記嵌合体どうしの嵌合が所定の位置で段階的に行うことができるよう構成してなる請求項１又は２に記載のカードホルダー。
【請求項４】
前記プレート体を側面から見た形状が、少なくとも上方部寄りが背面方向に湾曲してなる請求項１に記載のカードホルダー。
【請求項５】
前記プレート体が、前記カードを収容する収容部を備え、同収容部が複数または数種の大きさのカードを収容できるように形成してなる請求項１に記載のカードホルダー。
【請求項６】
前記支持体の上方部を略平坦に形成してなる請求項１に記載のカードホルダー。
【発明の詳細な説明】
【技術分野】
【０００１】
本発明は、商品陳列棚の前縁部分に着脱可能に装着して、商品の名称や価格等の商品情報を表示するカードを収容するカードホルダーに関する。
【背景技術】
【０００２】
従来、この種のカードホルダーは、商品陳列棚のカードレール内に収まる寸法で形成されているものが主であったが、例えば、特許文献１のように、商品の名称、価格、ＰＯＰ（Point of purchase advertising：販売時点広告）およびバーコード等による商品管理情報を含む商品情報を表示するカードの収容部をカードレールの幅よりも大なる寸法にして、同表示内容を見やすくしているものもある。
【０００３】
しかしながら、カードの表示面は商品陳列棚の前面に略垂直方向に一定して向けられていて、例えば、カードホルダーが商品陳列棚の高所あるいは低い位置に取り付けられた場合、前記棚の高さと利用者の目視する角度の関係によって、利用者が表示の内容を確認し難いことがあった。
【０００４】
また、カードの収容部を大なるものにしたことで、同カードホルダーの商品陳列棚におけるカードレールへの着脱がし難くなってしまい、特に、身長が低い店員による商品陳列棚の高所に位置する棚のカードレールに対するカードホルダーの着脱は非常にし難いものであった。
【０００５】
さらに、カードレール内に支持されている店舗側が必要な、例えば商品の在庫状況などの情報を検索するバーコード、文字、記号、数字等の各商品の情報を入手するとき、カードホルダーをカードレール内から取り外したり、カードレール内を左右に移動させたりする必要があった。
【先行技術文献】
【特許文献】
【０００６】
【特許文献１】特開２００２−１１２８６０号公報
【発明の概要】
【発明が解決しようとする課題】
【０００７】
本発明は、商品陳列棚の前縁部分との着脱を容易に行なうことができ、また、カードホルダーのプレート体内に保持したカードに記載の商品情報を入手し易いように、カードホルダーを取り付ける棚の高さに応じて、前記プレート体を所望の角度位置に設定することができるカードホルダーを提供できるようにした。
【課題を解決するための手段】
【０００８】
上述した課題を解決するために、本発明に係るカードホルダーは、商品陳列棚の前縁部分に係着して、商品情報を表示するカードを棚の前方に向けて収容するカードホルダーであって、前記カードを保持するプレート体と、前記棚に係着するための支持体と、前記プレート体の上部と前記支持体の上部をヒンジ結合する連結体を備え、また、前記プレート体の背面と同プレート体の背面に相対する支持体の前面のそれぞれに、互いに係脱可能に嵌合する嵌合体を形成し、前記プレート体が前記連結体を支点としてフラップ状に開閉できて、前記嵌合体どうしの嵌合が開閉方向における所望の角度位置で行うことができるよう構成したものとしてある。
【０００９】
また、前記カードホルダーを側面から見た形状において、前記嵌合体のうち少なくとも一方を、前記プレート体が前記連結体を支点として開閉するときに描く軌道に沿うように形成してなるものとしてある。
【００１０】
さらに、前記カードホルダーを側面から見た形状において、前記嵌合体の一方に首部とその首部の先端に頭部を形成し、前記嵌合体と互いに嵌合するもう一方の嵌合体を前記嵌合体頭部の外周面形に倣うよう形成して、前記嵌合体どうしの嵌合が所定の位置で段階的に行うことができるよう構成したものとしてある。
【００１１】
また、前記プレート体を側面から見た形状が、少なくとも上方部寄りが背面方向に湾曲してなるものとしてある。
【００１２】
さらに前記プレート体が、前記カードを収容する収容部を備え、同収容部が複数または数種の大きさのカードを収容できるように形成したものとしてある。
【００１３】
また、前記支持体の上方部を略平坦に形成してなるものとしてある。
【発明の効果】
【００１４】
本発明のカードホルダーによれば、プレート体の上部と支持体の上部をヒンジ結合する連結体を備え、また、前記プレート体の背面と、同プレート体の背面に相対する支持体の前面のそれぞれに、互いに係脱可能に嵌合する嵌合体を設けることにより、前記プレート体が前記連結体を支点としてフラップ状に開閉できて、前記嵌合体どうしの嵌合が開閉方向における所望の角度位置で行うことができるので、商品陳列棚の高さに応じて前記プレート体の表示面を所望の角度位置に調節することができる。
【００１５】
また、前記プレート体を側面から見た形状が、プレート体の上方部が背面方向に湾曲しているので、カードホルダーを商品陳列棚での客の目線における下方の棚に係着した場合でも、立った状態のままで目線を下方に向けるだけでカードホルダー内の商品情報を表示したカードを見ることができる。
【００１６】
さらに、前記プレート体におけるカード収容部を二重構造にしてあるので、適宜の大きさのカードまたは複数のカードを組み合わせて収容できる。
【００１７】
また、カードホルダーを商品陳列棚の棚板前面側のカードレールとの間に設けられた溝または同棚のこぼれ止めの両方に挿着または嵌着することができるので、使用者にとって安全な装着方法を選ぶことができる。
【００１８】
そして、カードホルダーを前記カードレールの溝に挿着する場合、同カードホルダーの支持体における起立部の装着部を同溝に上方から挿着すると、前記起立部の前面に設けた嵌合体の下方における付け根部分と、同支持体における支持脚の端部を略同じ高さにしてあるので、前記付け根部分と前記支持脚の端部が同棚の棚板の上面に接触することによりカードホルダーが前後に揺動することなくしっかりと保持される。
【００１９】
さらには、カードレール内に保持されている店舗側が必要な、例えば商品の在庫状況などの情報を検索するバーコード、文字、記号、数字等の各商品の情報を入手するときは、カードホルダーのプレート体を捲りあげて、同プレート体の上部を同カードホルダーの支持体の上部に設けた掛受部に接触させて、プレート体の倒立状態（捲りあげ状態）を保持させることができるので、商品情報を確実に入手することができる。
【図面の簡単な説明】
【００２０】
【図１】本発明に係るカードホルダーの側面図。
【図２】カードをセットした状態を示すカードホルダーの側面図。
【図３】嵌合体どうしの嵌合を段階的に行った状態を示す側面図。
【図４】商品陳列棚の溝に係着した状態のカードホルダーを示す斜視図。
【図５】商品陳列棚のこぼれ止めに係着した状態のカードホルダーを示す斜視図。
【図６】プレート体を捲りあげて倒立状態にしたカードホルダーを示す斜視図。
【発明を実施するための形態】
【００２１】
以下、本発明のカードホルダーを添付図面に基づいて説明する。
まず、カードホルダーの構成を、同カードホルダーを側面から見た形状を示す図１を用いて説明する。
カードホルダー１は、商品情報を表示するカードを保持するプレート体２、商品陳列棚１３に係着する支持体５、このプレート体１の上部と支持体５の上部をヒンジ結合する軟質合成樹脂材よりなる連結体４から構成している。
【００２２】
なお、本発明のカードホルダーは、前記プレート体２、カード挟持部３ｃの前面側、連結体４、支持体５は押出成型品であり、製造過程で一体成型されたものである。
また、前記プレート体２、カード挟持部３ｃの前面側、支持体５を例えばＡＢＳ等の熱可塑性樹脂で、連結体４をポリウレタンで構成している。
【００２３】
そして、プレート体２の前面に商品情報を表示するカード１７を収容する収容部３は、複数のまたは数種の大きさのカードを収容できるよう二重構造にし、また、カード挟持部３ｃの前面は、透光性を有する素材を使用している。
【００２４】
また、カードホルダー１におけるプレート体２の上方部を背面方向に湾曲させ、同プレート体の上側辺に連結体４の縁辺を接続している。
【００２５】
そして、前記連結体４のもう一方の縁辺は、支持体５における起立部６の上方部に接続していて、同支持体５は、前記起立部６の上方部から背面方向に延長して後向きに平坦部を有する掛止部８を備え、さらに掛止部８から延長して内側斜め下向きに曲折する支持脚９を備え、同支持脚９の先端をこぼれ止め１６への差込みが容易にできるように外側に広げている。
【００２６】
さらに、このカードホルダー１は、プレート体２の背面と、同プレート体２の背面に相対する支持体５の起立部６の前面のそれぞれに、互いに係脱可能に嵌合する嵌合体を設けている。
本実施例では前記それぞれの嵌合体を、プレート体２側を第１の嵌合体１０、支持体５側を第２の嵌合体１１と称する。
【００２７】
また、前記第１の嵌合体１０、第２の嵌合体１１は、プレート体２をフラップ状に開閉するときに嵌合体１０が描く軌道に沿う形状に形成している。
本実施例では、前記連結体４を中心として前記第１の嵌合体１０の先端が描く円弧状の軌道（半径Ｒ）に沿うように形成している。
【００２８】
そして第１の嵌合体１０を首部１０ａと頭部１０ｂで構成し、第２の嵌合体１１には前記頭部１０ｂを段階的に挟持するために前記頭部１０ｂの外周面形に倣った形状の凹凸を付している。
【００２９】
次いで、カードホルダーの使用方法を説明する。
カードホルダー１におけるプレート体２の収容部３に商品情報を表示するカード１７を収容する。
【００３０】
図２に示すように、収容部３の上方のカード保持溝３ａとカード挟持部３ｃの内側辺間（図２（ａ）参照）、同カード保持溝３ａと収容部３の途中に設けたカード保持溝３ｂ間（図２（ｂ）参照）、カード挟持部３ｃ（図２（ｃ）参照）に保持させることができるので、複数のまたは数種の大きさのカードを組み合わせて使用することができる。
【００３１】
そして、前記第１の嵌合体１０と第２の嵌合体１１の嵌合は、図３に示すように、それぞれの嵌合体の先端部分の接触だけによる係止（図３（ａ）参照）や第２の嵌合体１１に付した凹凸に第１の嵌合体１０の頭部１０ｂが引っ掛かって嵌合（図３（ｂ）〜（ｄ）参照）し、前記頭部１０ｂと前記第２の嵌合体１１の嵌合を段階的に行うことができるようにしてあるのでプレート体の開閉方向における角度位置を適宜変更・調整できる。
【００３２】
そして、このカードホルダー１の商品陳列棚１３への係着方法は、同棚１３の棚板前面側のカードレール１４との間に設けられた溝１５または同棚１３のこぼれ止め１６の両方に挿着または嵌着する二通りの方法がある。
【００３３】
まず、カードホルダー１を前記溝１５に挿着する方法を説明する（図４参照）。
カードホルダー１の支持体５における起立部６の下方、装着部７を同溝１５に上方から挿着する。この場合、前記起立部６の前面に設けた第２の嵌合体１１の下方における同起立部６との付け根部１２と、支持体５における支持脚９の端部を略同じ高さにしてあるので、前記付け根部１２と前記支持脚９の端部は同棚１３の棚板の上面に接触することによりカードホルダー１が前後に揺動することなくしっかりと保持される。
【００３４】
次いで、カードホルダー１を前記こぼれ止め１６に嵌着する方法を説明する（図５参照）。
前記棚１３の溝１５に設置されたこぼれ止め１６の上方から、カードホルダー１の支持体５における起立部６と支持脚９の間に挿入して嵌着する。この場合、前記起立部６の背面がカードレール１４あるいはこぼれ止め１６に接触してカードホルダー１の回転を防ぐことができ、また、掛止部８の内側に空間の余裕を設けているので、例えばカードホルダー１への衝突があった場合でも、衝突の応力を緩和してこぼれ止め１６からの離脱・転落を防ぐことができる。
【００３５】
さらに、上記のように係着方法が選択できるので、使用者にとって安全な着脱ができる。
【００３６】
また、前記掛止部８の上辺は略平坦に形成してあり、カードレール１４内に支持されている商品情報カード１８に記載の情報を入手するとき、プレート体２を捲りあげて同プレート体２の上辺部を前記掛止部８に接触させて、プレート体の倒立状態（捲りあげ状態）を保持させることができる（図６参照）ので、前記カードレール１４の前記商品情報カード１８を臨ませて、商品情報を確実・安全に入手することができる。
【００３７】
そして、プレート体の倒立状態を解除するにはプレート体２を手前に捲りあげる時と逆の応力を与えることによってプレート体２は自身の重みで表示の状態にもどる。
【００３８】
本実施例では、プレート体２側に首部１０ａと頭部１０ｂを有する第１の嵌合体１０、支持体５側に前記頭部１０ｂを挟持する間隔で配置された一対の挟持片の第２の嵌合体１１を設けているが、嵌合体１０、１１は組物として設けてあればプレート体２あるいは支持体５のどちら側に設けてもよい。
【００３９】
また本実施例では、支持体側の嵌合体１１の構造を上下両方から挟持する一対のものにしているが、第１の嵌合体１０の頭部１０ｂが第２の嵌合体１１と嵌合できるものであればよい。
【００４０】
また、プレート体２をフラップ状に開閉できるように形成したことにより、プレート体２と支持体５を１８０度以上の開いた状態にすることができるので、例えば梱包の際に必要な容積を少なくでき、よりコンパクトな梱包を実現することができる。
【００４１】
本実施例では押出成型の一体成型の構成としてあるが、カードホルダー１のプレート体２、カード挟持部３ｃの前面側、連結体４、支持体５の全てあるいは一部を別部品で構成して接着により組み立てて完成品とする場合もある。
【符号の説明】
【００４２】
１    カードホルダー
２    プレート体
３    収容部
３ａ  カード保持溝
３ｂ  カード保持溝
３ｃ  カード挟持部
４    連結体
５    支持体
６    起立部
７    装着部
８    掛止部
９    支持脚
１０    嵌合体
１０ａ  挿入部
１０ｂ  係止部
１１    嵌合体
１２    付け根部
１３    商品陳列棚
１４    カードレール
１５    溝
１６    こぼれ止め
１７    カード
１８    商品情報カード
【図１】
2011125434.tif 000003
【図２】
2011125434.tif 000004
【図３】
2011125434.tif 000005
【図４】
2011125434.tif 000006
【図５】
2011125434.tif 000007
【図６】
2011125434.tif 000008